(57)【要約】      （修正有）【課題】フィルタバンクを提供する。【解決手段】フィルタバンクは前面及び後面を有するハウジング３０１を備える。空気は前面から後面に流れる空気流経路３１４に沿って通過する。フィルタ層３０２はハウジングに保持する。フィルタ層は、前面及び後面の間で、空気が後面から放出される前にフィルタ層を通過する向きに延在させる。音減衰層３０４をハウジング内に配置し、この配置は、前面と後面の間で伝播する音を減衰するように行う。音減衰層は、空気流の方向に沿って延在するように配置する。【選択図】図４
2011206760.tif 000002
【特許請求の範囲】
【請求項１】
フィルタバンクにおいて、
前面および後面を有するハウジングであって、空気が前記前面から前記後面に向かう空気流経路に沿って流れる、該ハウジングと、
前記ハウジング内に保持したフィルタ層であって、前記前面と前記後面との間に、空気が前記後面から放出される前に前記フィルタ層を通過する向きに配置した、該フィルタ層と、
前記ハウジング内に配置し、音が前記前面と前記後面との間で伝播するときの音を減衰する音減衰層であって、前記空気流の方向に沿って延在する向きに配置した、該音減衰層と、
を備えたフィルタバンク。
【請求項２】
請求項１に記載のフィルタバンクにおいて、前記音減衰層は、互いに隣接しかつ互いに離して配置した複数の音減衰層を有し、これら音減衰層間に空気チャネルを形成し、前記空気流経路は前記空気チャネルを通過するよう構成した、フィルタバンク。
【請求項３】
請求項１に記載のフィルタバンクにおいて、前記音減衰層は、前記ハウジングの前記前面と前記後面との間における、空気チャネルを少なくとも部分的に画定し、前記フィルタ層を前記空気チャネルに交差する方向に延在させ、これにより前記空気チャネルを流れる空気が前記フィルタ層を通過するよう構成した、フィルタバンク。
【請求項４】
請求項１に記載のフィルタバンクにおいて、前記音減衰層は、吸音するよう構成した多孔質媒体を有する構成とした、フィルタバンク。
【請求項５】
請求項１に記載のフィルタバンクにおいて、前記フィルタ層は、発泡体、プリーツを設けた紙、および紡いだガラス繊維のうち、少なくとも１つで構成したフィルタ処理媒体を有する構成とした、フィルタバンク。
【請求項６】
請求項１に記載のフィルタバンクにおいて、前記フィルタ層を前記音減衰層に結合したフィルタバンク。
【請求項７】
請求項１に記載のフィルタバンクにおいて、前記フィルタ層を、前記音減衰層に直列状態にして配置した、フィルタバンク。
【請求項８】
請求項１に記載のフィルタバンクにおいて、前記フィルタ層を、前記音減衰層と平行に配置した、フィルタバンク。
【請求項９】
請求項１に記載のフィルタバンクにおいて、さらに、
１対の第１減衰層であって、各第１減衰層をそれぞれ前記フィルタ層に結合した、該第１減衰層と、
前記１対の第１減衰層間に配置した第２減衰層と
を備えた、フィルタバンク。
【請求項１０】
請求項１に記載のフィルタバンクにおいて、前記音減衰層を前記フィルタ層から角度をなすよう延在させた、フィルタバンク。
【請求項１１】
請求項１に記載のフィルタバンクにおいて、さらに、
１対の音減衰層を備え、これら１対の音減衰層間にチャネルを形成し、前記フィルタ層を前記チャネル内に配置した、フィルタバンク。
【請求項１２】
請求項１に記載のフィルタバンクにおいて、さらに、
１対のフィルタ層を備え、これら１対のフィルタ層間にチャネルを形成し、前記音減衰層を前記チャネル内に配置した、フィルタバンク。
【請求項１３】
請求項１に記載のフィルタバンクにおいて、前記フィルタ層の端部を、前記音減衰層の端部に結合した、フィルタバンク。
【請求項１４】
請求項１に記載のフィルタバンクにおいて、前記フィルタ層および前記音減衰層は、３次元のアレイとして構成した、フィルタバンク。
【請求項１５】
空気処理ユニットにおいて、
前記空気処理ユニットを経る空気流経路を発生させるファンと、
空気流経路の空気をろ過するフィルタバンクであって、
前面および後面を有するハウジングであって、空気が前記前面から前記後面に向かう空気流経路に沿って流れる、該ハウジング、
前記ハウジング内に保持したフィルタ層であって、前記前面と前記後面との間に、空気が前記後面から放出される前に前記フィルタ層を通過する向きに配置した、該フィルタ層、および
前記ハウジング内に配置し、音が前記前面と前記後面との間で伝播するときの音を減衰する音減衰層であって、前記空気流の方向に沿って延在する向きに配置した、該音減衰層、
を有する、該フィルタバンクと、
を備えた、空気処理ユニット。
【請求項１６】
請求項１５に記載の空気処理ユニットにおいて、前記フィルタ層を前記音減衰層に結合した空気処理ユニット。
【請求項１７】
請求項１５に記載の空気処理ユニットにおいて、前記フィルタ層および前記音減衰層をファンの上流側に配置した、空気処理ユニット。
【請求項１８】
請求項１５に記載の空気処理ユニットにおいて、前記フィルタ層および前記音減衰層は少なくとも１つのチャネルを形成し、前記チャネルを通って空気が流れる構成とした、空気処理ユニット。
【請求項１９】
請求項１５に記載の空気処理ユニットにおいて、前記音減衰層は、互いに隣接し、かつ互いに離して配置した複数の音減衰層を有し、これら音減衰層間に空気チャネルを形成し、前記空気流経路は前記空気チャネルを通過するよう構成した、空気処理ユニット。
【請求項２０】
請求項１５に記載の空気処理ユニットにおいて、前記音減衰層は、前記ハウジングの前記前面と前記後面との間における、空気チャネルを少なくとも部分的に画定し、前記フィルタ層を前記空気チャネルに交差する方向に延在させ、これにより空気チャネルを流れる空気が前記フィルタ層を通過するよう構成した、空気処理ユニット。
【請求項２１】
請求項１５に記載の空気処理ユニットにおいて、前記音減衰層は、吸音するよう構成した多孔質媒体を有する構成とした、空気処理ユニット。
【請求項２２】
請求項１５に記載の空気処理ユニットにおいて、前記フィルタ層は、発泡体、プリーツを設けた紙、および紡いだガラス繊維のうち、少なくとも１つで構成したフィルタ処理媒体を有する構成とした、空気処理ユニット。
【請求項２３】
空気処理ユニット内で、ろ過のフィルタ処理および音を減衰する音減衰処理する方法において
空気処理ユニット内に前面および後面を有するハウジングを配置するハウジング配置ステップであって、前記ハウジング内で空気が前記前面から前記後面に向かう空気流経路に沿って流れるように配置する、該ハウジング配置ステップと、
前記ハウジング内にフィルタ層を結合するフィルタ層結合ステップであって、前記前面と前記後面との間に、空気が前記後面から放出される前に前記フィルタ層を通過する向きに前記フィルタ層を配置する、該フィルタ層結合ステップと、
前記ハウジング内に、音が前記前面と前記後面との間に伝播するときの音を減衰する音減衰層を配置する音減衰層配置ステップであって、前記空気流の方向に沿って延在する向きに前記音減衰層を前記ハウジング内に配置する、該音減衰層配置ステップと、
を有する方法。
【請求項２４】
請求項２３に記載した方法において、さらに、前記フィルタ層を前記音減衰層に結合するステップを有する、方法。
【請求項２５】
請求項２３に記載した方法において、さらに、前記フィルタ層および前記音減衰層を配置するステップであって、空気流が流れるチャネルを形成するよう配置するステップを有する、方法。
【請求項２６】
請求項２３に記載した方法において、さらに、前記フィルタ層および前記音減衰層を３次元アレイとして配置するステップを有する、方法。
【請求項２７】
請求項２３に記載した方法において、さらに、前記フィルタ層および前記音減衰層を直列状態にして配置するステップを有する、方法。
【請求項２８】
請求項２３に記載した方法において、さらに、前記フィルタ層および前記音減衰層を平行に配置するステップを有する、方法。
【請求項２９】
請求項２３に記載した方法において、さらに、複数の音減衰層を、互いに隣接し、かつ互いに離して配置する複数音減衰層配置ステップであって、これら音減衰層間に空気チャネルを形成し、前記空気流経路は前記空気チャネルを通過するようにした、該複数音減衰層配置ステップを有する、方法。
【請求項３０】
請求項２３に記載した方法において、さらに、前記音減衰層を、前記ハウジングの前記前面と前記後面との間における、空気チャネルを少なくとも部分的に画定するよう配置するステップであって、前記フィルタ層を前記空気チャネルに交差する方向に延在させ、これにより前記空気チャネルを流れる空気が前記フィルタ層を通過するよう配置する、該ステップを有する、方法。
【請求項３１】
請求項２３に記載した方法において、さらに、吸音するよう構成した多孔質媒体で音減衰層を構成する、方法。
【請求項３２】
請求項２３に記載した方法において、発泡体、プリーツを設けた紙、および紡いだガラス繊維のうち、少なくとも１つで構成したフィルタ処理媒体でフィルタ層を構成する、方法。
【発明の詳細な説明】
【技術分野】
【０００１】
本発明は、空気処理ユニットに関し、より詳しくは、空気処理ユニットに空気を濾過するフィルタ処理をし、また音を減衰処理する方法及びシステムに関する。
【背景技術】
【０００２】
空気処理システム（「エアハンドラー」とも称する。）は、伝統的にビルディングまたは部屋（以下、「建造物」とする）を空調するために使われてきた。空気処理システムは、若干のコンポーネント、例えば冷却コイル、加熱コイル、フィルタ、加湿器、ファン、音減衰器、制御装置、及び少なくとも特定の空気容量に見合って機能する他の機器を有し、この特定の空気容量は、建造物の全体的な空気処理要件の全て若しくは一部のみとすることができる。空気処理システムは、工場内で製造し、設置すべき建造物に運搬し、適切な装置を用いて特定の空気容量に見合うよう、現場で設置する、または組み付ける。空気処理システムの空気処理コンパートメントには、少なくとも１個のファン入口コーン、ファンユニット、放出プレナム空間を有する。ファンユニットは、一つの入口コーンと、１個のモータと、ファンフレームと、ファンの機能に関連する若干の付属物（例えば、ダンパ、制御装置、固定手段、および関連のキャビネット類。）を有する。
【発明の概要】
【発明が解決しようとする課題】
【０００３】
ある用途では、フィルタバンク及び音減衰器バンクを、ファンの上流側に配置する。フィルタバンクは、一般的に、音減衰器とは距離を離して配置し、これにより、エアハンドラー内でのメインテナンスを可能にする。フィルタバンクと音減衰器との間における空間は、エアハンドラーのサイズを増大させ、望ましくない圧力低下をもたらすことがある。
【０００４】
エアハンドラー内での圧力低下を少なくする、よりコンパクトなフィルタバンク及び音減衰器の構成に対する必要性が依然として存在する。
【課題を解決するための手段】
【０００５】
本発明の一つの実施形態においては、フィルタバンクを提供する。フィルタバンクは前面及び後面を有する筐体を備える。フィルタ層はハウジングに保持する。フィルタ層は、空気が後面から放出される前にフィルタ層を通過するように、前面と後面との間に配置する。音減衰層は、前面と後面との間で伝播する音を減衰するようハウジング内に配置する。音減衰層は、空気流の方向に沿って延在するよう配置する。
【０００６】
本発明の他の実施形態においては、空気処理ユニットを提供する。空気処理ユニットは、空気処理ユニットを経る空気流経路を発生させるファンを備える。フィルタバンクは、空気流経路をろ過するために設ける。フィルタバンクは、前面及び後面を有する筐体を備える。空気は、空気流経路に沿って、前面から後面に流れる。フィルタ層をハウジングに保持する。フィルタ層は、空気が後面から放出される前にフィルタ層を通過するように、前面と後面の間に配置する。音減衰層は、前面と後面との間伝播する音を減衰するため、ハウジング内に配置する。音減衰層は、空気流の方向に沿って延在するように配置する。
【０００７】
本発明のさらに他の実施形態では、空気処理ユニット内でろ過のフィルタ処理および音を減衰する音減衰処理する方法を提供する。この方法は、空気処理ユニット内に、前面及び後面を有するハウジングを配置するステップを有する。空気は、空気流経路に沿って、前面から後面に流れる。フィルタ層はハウジング内に結合する。フィルタ層は、空気が後面から放出される前にフィルタ層を通過するように、前面と後面の間に配置する。音減衰層は、前面と後面との間伝播する音を減衰するため、ハウジング内に配置する。音減衰層は、空気流の方向に沿って延在するように配置する。
【図面の簡単な説明】
【０００８】
【図１】本発明の一実施形態による空気処理ユニットの概略図である。
【図２】図１に示す空気処理ユニットに使用できる段階的空気処理システムである。
【図３】図２に示すファンウォール区域の平面図である。
【図４】本発明により形成したフィルタ／音減衰バンクの一実施形態の斜視図である。
【図５】本発明により形成したフィルタ／音減衰バンクの一実施形態の側面図である。
【図６】本発明により形成したフィルタ／音減衰バンクの一実施形態の側面図である。
【図７】本発明により形成したフィルタ／音減衰バンクを収容するハウジングの一実施形態の斜視図である。
【図８】本発明により形成したフィルタ／音減衰バンクの一実施形態の平面図である。
【図９】本発明により形成したフィルタ／音減衰バンクの一実施形態の平面図である。
【図１０】本発明により形成したフィルタ／音減衰バンクの一実施形態の平面図である。
【図１１】本発明により形成したフィルタ／音減衰バンクの一実施形態の平面図である。
【図１２】本発明により形成したフィルタ／音減衰バンクの一実施形態の平面図である。
【図１３】本発明により形成したフィルタ／音減衰バンクを収容するハウジングの一実施形態の斜視図である。
【図１４】本発明により形成したフィルタ／音減衰バンクの一実施形態の側面図である。
【図１５】本発明により形成したフィルタ／音減衰バンクの一実施形態の側面図である。
【図１６】本発明により形成したフィルタ／音減衰バンクを収容するハウジングの一実施形態の斜視図である。
【図１７】本発明により形成したフィルタ／音減衰バンクの一実施形態の平面図である。
【図１８】一実施形態により形成したフィルタ／音減衰バンクの一実施形態の斜視図である。
【図１９】本発明により形成したフィルタ／音減衰バンクの一実施形態の平面図である。
【図２０】本発明により形成したフィルタ／音減衰バンクの一実施形態の斜視図である。
【図２１】本発明により形成したフィルタ／音減衰バンクの一実施形態の平面図である。
【図２２】本発明により形成したフィルタ／音減衰バンクを収容するハウジングの一実施形態の斜視図である。
【図２３】本発明により形成したフィルタ／音減衰バンクの一実施形態の斜視図である。
【図２４】図２２に示すフィルタ／音減衰バンクの側面図である。
【図２５】本発明の一実施形態により形成したダンパの斜視図である。
【図２６】本発明の一実施形態により形成した音減衰及びフィルタ処理の複合層の断面図である。
【図２７】本発明の一実施形態により形成した他の減衰及びフィルタ処理の複合層の断面図である。
【図２８】本発明の実施形態によるオープンセル発泡仕上げ面を有する遮断ボード間における空気の流れを示し、遮断ボード及びオープンセル発泡仕上げ面を有孔剛固仕上げ面によって固定した実施形態の説明図である。
【図２９】本発明の実施形態によるオープンセル発泡仕上げ面を有する遮断ボードであり、発泡仕上げ面間にガラス繊維を包囲した遮断ボードの側面図である。
【図３０】本発明の実施形態によるオープンセル発泡仕上げ面を有する遮断ボード内で吸音する状態を示す側面図である。
【図３１】有孔剛固仕上げ面における開口内に、形成したオープンセル発泡仕上げ面が突入した状態を示す拡大側面図である。
【図３２】本発明の実施形態による、円形開口を有する有孔剛固仕上げ面の正面図である。
【図３３】有孔剛固仕上げ面により固定したオープンセル発泡仕上げ面を有する頂部区域、並びにガラス繊維及びオープンセル発泡仕上げ面を層状にして有孔剛固仕上げ面によって固定した底部区域を設けた、例示的なエアハンドラー側面図。
【図３４】フレームに固定したオープンセル発泡仕上げ面の正面図である。
【図３５】本発明の実施形態による方法を示すフローチャートである。
【発明を実施するための形態】
【０００９】
上述の概要に加えて、一実施形態に関する以下の詳細な説明を、添付図面と関連付けて読むことでよりよく理解できるであろう。図面が様々な実施形態における機能ブロック図を示す限りにおいて、機能ブロックは必ずしもハードウェア回路間の区分を示すものではない。したがって例えば、一つまたはそれ以上の機能ブロック（例えばプロセッサまたはメモリ）を、単独ピースのハードウェア（例えば、汎用的信号プロセッサ若しくはランダムアクセスメモリ、ハードディスク、等。）または複数ピースのハードウェアで実施することができる。同様に、プログラムは、スタンドアローンのプログラムとする、または一つの基本システム内のサブルーチンとして組み込む、または一つのインストールしたソフトウェアパッケージ等内における関数とすることができる。様々な実施形態は、図面に示した構成及び手段に限定するものではないと理解されたい。
【００１０】
図１は空気処理ユニット１００を示す。空気処理ユニット１００は、入口１０２および出口１０４を有する段階的空気処理システム２００を備える。空気処理ユニット１００は、部屋１０６を流れる空気を調整するよう構成する。部屋１０６は、入口プレナム１０８、及び出口プレナム１１０を有する。入口プレナム１０８は、部屋１０６と、空気処理ユニット１００の出口１０４との間に延びて存在（延在）する。出口プレナム１１０は、部屋１０６と、空気処理ユニット１００の入口１０２との間に延在する。ベント（通気孔）１１２を入口プレナム１０８と部屋１０６との接合部に配置する。帰還ベント１１４を出口プレナム１１０と部屋１０６との接合部に配置する。随意的に、フィルタを各接合部に配置する。入口プレナム１０８および出口プレナム１１０には、それぞれに配置した音減衰器（ダンパ）および／またはフィルタバンクを設けることができる。
【００１１】
動作中、空気は、空気処理ユニット１００から入口プレナム１０８を経て流れる。空気は、ベント１１２から部屋１０６内に放出され、部屋内で循環する。部屋１０６における循環中、空気の少なくとも一部は帰還ベント１１４を通過する。空気は出口プレナム１１０を経て流れ、入口１０２から空気処理ユニット１００に帰還する。空気は空気処理ユニット１００内で再調整され、そして入口プレナム１０８から部屋１０６内に再循環される。
【００１２】
図２には本発明の一実施形態によるファンアレイを有する空気処理システムを利用した段階的空気処理システム２００を示す。段階的空気処理システム２００は空気を取り入れる入口２０２を有する。空気を加熱する加熱区域２０６を設け、空気処理区域２０８が後続する。加湿区域２１０を空気処理区域２０８の下流側に配置する。加湿区域２１０は、空気を加湿および／または除湿する（加湿及び除湿の少なくとも一方を行う）。冷却コイル区域２１２および２１４は、加湿区域２１０の下流側に配置して、空気を冷却する。フィルタ区域２１６を、冷却コイル区域２１４の下流側に配置して、空気を冷却する。区域は再配置または取り外すことができる。区域は追加して設けることができる。
【００１３】
空気処理区域２０８は、フレーム２２４の一部をなす隔壁２２５によって互いに分離した入口プレナム２１８及び放出プレナム２２０を有する。ファン入口コーン２２２を、空気処理区域２０８のフレーム２２４の隔壁２２５に隣接配置される。ファン入口コーン２２２は隔壁２２５に取り付けることができる。あるいは、フレーム２２４は、隔壁２２５に隣接して、または隔壁２２５から離れた位置で、ファン入口コーン２２２を懸垂支持することができる。ファン２２６は、個々の対応するモータ２２８のドライブシャフトに取り付ける。モータは、取り付けブロックにおいてフレーム２２４に取り付ける。各ファン２２６および対応するモータ２２８は、各個別のファン装置２３２を形成し、個別のチャンバ２３０内に固定する。チャンバ２３０は、縦列（コラム）状に互いに垂直方向に積み上げた状態で示す。随意に、各縦列おいて、より多くまたはより少ないチャンバ２３０を設けることができる。単独の空気処理区域２０８において、１つまたはそれ以上のチャンバ２３０の縦列を互いに隣接させて設けることができる。
【００１４】
図３は、図１に示す空気処理区域２０８の平面図を示す。空気処理区域２０８は、上流側の端部２３４および下流側の端部２３６を有する。ファン２２６は入口プレナム２１８と放出プレナム２２０との間に配置する。入口プレナム２１８はファン２２６の上流側である。放出プレナム２２０はファン２２６の下流側である。フィルタバンク２３８を、空気処理区域２０８の上流側の端部２３４に配置する。フィルタバンク２３８は、列状に互いに隣接配置した複数個のフィルタ２４０を有する。フィルタ２４０は、フィルタバンクを収容するハウジング２４１内に延在する。フィルタは、各フィルタ２４０間に気密界面を生ずるよう配置する。フィルタ２４０は、発泡体、プリーツを設けた紙、紡いだガラス繊維、および／または、その他の適切なフィルタ処理媒体から形成することができる。フィルタ２４０は、空気処理区域２０８を通過して流れる空間から不純物を除去するよう構成する。
【００１５】
複数の音減衰パネル２４２を、フィルタ２４０の下流側に配置する。音減衰パネル２４２は、各音減衰パネル間にチャネル２４４が延在するよう、列状に配置する。音減衰パネル２４２は、パネル両側にわたり圧力低下が少ない形状を有するものとすることができる。さらに、音減衰パネルは、有孔パネルまたは中実パネルとすることができる。音減衰パネル２４２に関する他の細部は、図２８〜３４につき、以下により詳細に説明する。代表的な実施形態において、音減衰パネル２４２はフィルタ２４０に対して平行に配置する。随意に、図４〜２５につき説明するように、フィルタ２４０および音減衰パネル２４２は、非線形的なおよび／または非平行的な構成配置とすることができる。
【００１６】
図４〜２５は、空気処理区域２０８、またはその他の用途に使用できるフィルタバンク２３８の様々な実施形態を示す。様々な実施形態のフィルタバンク２３８は、天井ユニット、またはその他の適切な加熱、冷却、若しくは通気システムに使用できると理解されたい。フィルタバンク２３８は、ファン２２６の上流側または下流側に配置することができる。フィルタバンクは、少なくとも一つのフィルタ層、およびフィルタ層の近傍若しくは直近に隣接させて少なくとも一つの音減衰層を備える。フィルタバンク２３８は、空気処理区域２０８内で小さい空間を占め、フィルタバンクの両側で圧力降下が低くなるようにする。フィルタバンク２３８は空気処理区域２０８内に示されていることに留意されたい。随意に、フィルタバンク２３８は、空気処理ユニット１００の入口プレナムおよび／または出口プレナム１１０内に配置することができる。
【００１７】
図４は、外壁３０３を有する、フィルタ／音減衰バンクのハウジング３０１の斜視図である。フィルタ／音減衰バンクのハウジング３０１は、フィルタ／音減衰バンク３００を収容する。空気は、フィルタ／音減衰バンク３００を経て、３１４方向に流れる。結合フレーム３０５を、外壁３０３に沿って延在させる。フィルタ／音減衰バンク３００は、筐体３０１に結合する。随意に、フィルタ／音減衰バンク３００を、結合フレーム３０５に結合する。フィルタ／音減衰バンク３００は、複数のフィルタ層３０２および複数の音減衰層３０４を有する。フィルタ層３０２および音減衰層３０４は、結合フレーム３０５および／またはハウジング３０１に結合することができる。フィルタ層３０２は、隣接する音減衰層３０４間に延在させる。フィルタ／音減衰バンク３００は、頂端部３０６および底端部３０８を有する。好適な実施形態において、頂端部３０６および底端部３０８は、音減衰層３０４とハウジング３０１との間に延在するフィルタ層３０２を有する。随意に、音減衰層３０４は、直接、ハウジング３０１に結合することができる。フィルタ／音減衰バンク３００は、ハウジング３０１および／または結合フレーム３０５に結合して、気密界面を形成する。フィルタ層３０２および音減衰層３０４は互いに結合し、気密界面を形成する。空気流は、フィルタ／音減衰バンク３００のフィルタ層３０２を通る。随意に、音減衰層３０４は半透過性および空気を通す内壁となり得る。
【００１８】
図５は、フィルタ／音減衰バンク３００の一実施形態を示す側面図である。ハウジング３０１は、平面状の前面３１０および後面３１２を有する。前面３１０および後面３１２は、矢印３１４の方向に空気を流すための孔を形成する。音減衰層３０４は外壁３０３から離間させる。音減衰層３０４は、前面３１０と後面３１２との間に延在するよう指向させる。随意に、音減衰層３０４は、前面３１０および後面３１２のどちらか一方または双方に対して部分的にのみ延在させることができる。フィルタ層３０２および音減衰層３０４は、空気流３１４の方向に対して、交差する方向に交互に積み重ねることができる。音減衰層３０４は、互いに平行に、また空気流３１４に対してほぼ平行に配置することができる。随意に、音減衰層３０４は、空気流３１４に対して一定の共通角度、または互いに異なる、鋭角の角度をなすよう配置することができる。
【００１９】
各音減衰層３０４は、互いに対向する両側の端部３１６、平面状の表面部３１８、表面部間に延在する中間部分３２０を有する。各音減衰層３０４の端部３１６は、丸みを付けるまたは凸状にする。随意に、音減衰層３０４の端部３１６は、平坦、尖端付き、凹面状、および／または不均一な曲面状にすることができる。空気チャネル３２２は、前面３１０および後面３１０３１２へ向かって突出する音減衰層によって形成される。フィルタ層３０２は、フィルタ／音減衰バンク３００を通過する空気流に対して交差するよう配置する。空気チャネル３２２は、さらに、音減衰層３０４と、ハウジング３０１の外壁３０３との間に位置する。音減衰層３０４は、半透過性の内壁であり、内側の空気チャネル３２４および外側の空気チャネル３２２を形成する。空気は、空気チャネル３２２，３２４を経て３１４の方向に流れる。空気チャネル３２２および３２４は、幅が互いに等しいまたは異なる幅３２６，３２８および３３０を有する。空気チャネル３２２，３２４は、互いに平行な平面状の前面３１０と後面３１２との間で共通長さ３３２を有する。随意に、前面３１０および／または後面３１２は非平面状の輪郭に形成し、長さ３３２が個別チャネル３２２，３２４内で、または異なるチャネル３２２，３２４間で互いに異なるようにすることができる。
【００２０】
各フィルタ層３０２は、前面３１０と後面３１２との間に延在する。フィルタ層３０２は、第１音減衰層３０４の端部３１６から、隣接する音減衰層３０４の端部３１６に向かって斜めに交差する方向に指向する。随意に、フィルタ層３０２の端部３３４は、音減衰層３０４の中間部分３２０へ向かって、もしくは中間部分３２０から延在るようにすることができる。端部３３４は、第１音減衰層３０４の端部３１６、および隣接する音減衰層３０４の中間部分３２０に対して係合及び隣接するようにすることができる。フィルタ層３０２の端部３３４は、音減衰層３０４の端部３１６または中間部分３２０に対して気密界面を形成する。
【００２１】
図６は、フィルタ／音減衰バンク１０００の側面図である。音減衰層１００４は少なくとも前面１０１０および後面１０１２のどちらか一方または双方に対して、部分的に突出する。フィルタ層１００２および減衰層１００４は、空気流１０１４の方向に対して、交差する方向に交互に積み重ねる。音減衰層１００４は、互いに平行に、または共通の角度で、または互いに異なる角度で配置することができる。
【００２２】
各減衰層１００４は互いに対向する両側の端部１０１６を有し、平面状の表面部１０１８、表面部間に延在する中間部分１０２０を有する。各音減衰層１００４の端部１０１６は、丸みを付けた形状、平坦な形状、尖端形状、凸面形状、凹面形状、および／または不均一な曲面形状にすることができる。中間部分１０２０は、端部１０１６の幅１０３２よりも大きい幅１０３０を有する。空気チャネル１０２２は、前面１０１０と後面１０１２との間における隣接する音減衰層によって形成される。空気チャネル１０２２は、さらに、音減衰層１００４とハウジング１００１の外壁１００３との間に位置する。随意に、音減衰層１００４は、半透過性であり、内側の空気チャネル１０２４および外側の空気チャネル１０２２を形成する、内壁として形成することができる。
【００２３】
各フィルタ層１００２は、前面１０１０および後面１０１２に向かって延在する。フィルタ層１００２は、第１音減衰層１００４の端部１０１６から、隣接する音減衰層１００４の端部１０１６に斜めに交差するよう指向する。随意に、フィルタ層１００２の端部１０３４は、音減衰層１００４の中間部分１０２０に向かって、または中間部分１０２０から突出する。端部１０３４はフィルタ層１００２と音減衰層１００４を接合する結合機構１０３５に係合する。結合機構１０３５は、外側クランプ１０３７および内側クランプ１０３９を有する。フィルタ層１００２の端部１０３４は、外側クランプ１０３７の一方に係合して、気密界面を形成する。音減衰層１００４の端部１０１６は、内側クランプ１０３９に係合して、気密の接合部を形成する。随意に、結合機構１０３５は、第１音減衰層１００４の端部１０１６、および隣接する音減衰層１００４の中間部分１０２０に隣接し、気密界面を形成することができる。
【００２４】
図７は、外壁３５３、頂壁３５６、および底壁３５８を有する、フィルタ／音減衰バンクのハウジング３５１の斜視図である。フィルタ／音減衰バンクのハウジング３５１は、フィルタ／音減衰バンク３５０を収容する。空気は、フィルタ／音減衰バンク３５０を経て、方向３５７に流れる。結合フレーム３５５は、外壁３５３に沿って延在する。フィルタ／音減衰バンク３５０は、ハウジング３５１に結合する。随意に、フィルタ／音減衰バンク３５０は結合フレーム３５５に結合する。フィルタ／音減衰バンク３５０は、複数のフィルタ層３５２および複数の音減衰層３５４を有する。フィルタ層３５２は頂壁３５６と底壁３５８との間に延在する。フィルタ層３５２は、壁３５６，３５８に結合して、気密界面を形成する。随意に、フィルタ層３５２を結合フレーム３５５に結合する。フィルタ層３５２は、同一平面に沿って一列に配置する。随意に、フィルタ層３５２は、非平面状の列として配置することができる。
【００２５】
音減衰層３５４は、隣接するフィルタ層３５２間に延在する。音減衰層３５４は、結合フレーム３５５および／またはハウジング３５１に結合して、気密界面を形成する。随意に、音減衰層３５４は、フィルタ層３５２に結合して、気密界面を形成する。音減衰層３５４は、フィルタ層３５２に対してほぼ直交する方向に延在する。随意に、音減衰層３５４は、フィルタ層３５２に対して共通の一定角度または異なる角度で配置することができる。空気流は、フィルタ／音減衰バンク３５０のフィルタ層３５２に向かって導かれる。随意に、音減衰層３５４は半透過性であり空気を通す内壁となり得る。
【００２６】
図８は、フィルタ／音減衰バンク３５０の頂面図である。フィルタ層３５２は同一平面内に配置する。随意に、フィルタ層３５２は互いに角度をなすよう配置する。さらに、フィルタ層３５２は、凹面状、凸面状、および／または湾曲した形態に配置することができる。フィルタ層３５２は、端部３６２が接合部３６６に隣接しておよび／または当接させて配置する。フィルタ／音減衰バンク３５０は、互いに平行な、および／または互いに角度をなして配置した少なくとも一列のフィルタ層３５２を有する。
【００２７】
音減衰層３５４は互いに平行に配置する。随意に、音減衰層３５４は互いに角度なすよう配置することができる。音減衰層３５４はフィルタ層３５２に対して、ほぼ直交する方向に、および／または角度をなすよう延在させる。各音減衰層３５４は、フィルタ層の端部３６２における接合部３６６、および／またはフィルタ層３５２の平面状の表面部３６４に当接する。各音減衰層３５４の中間部分３７２は、音減衰層３５４が均一の幅３８５となるように、端部３７０間の平面上に延在する。端部３７０は、丸みを付けた形状、平坦形状、尖端付きの形状、凹面形状、凸面形状および／または不均一な曲面形状にすることができる。空気流は、フィルタ層３５２を経て、音減衰層３５４の周りを通過するよう導かれる。随意に、音減衰層３５４は半透過性であり、空気が透過する内壁とすることができる。
【００２８】
図９は、フィルタ／音減衰バンク１１５０の頂面図を示す。空気は、フィルタ／音減衰バンク１１５０を経て、方向１１５７に流れる。各フィルタ層１１５２は、１対の端部１１６２およびこれら端部間に延在する平面状の表面１１６４を有する。フィルタ層１１５２は同一平面上に配置される。随意に、フィルタ層１１５２は互いに角度をなすよう配置する。さらに、フィルタ層１１５２は、凹面状、凸面状、および／または湾曲した形状の形態となるよう配列する。端部１１６２が互いに隣接するようフィルタ層１１５２を配置する。随意に、フィルタ層１１５２は、端部１１６２を接合部１１６６に隣接するよう配置して、気密界面を形成する。図９は、フィルタ層１１５２の単独の列を示す。随意に、フィルタ／音減衰バンク１１５０は、互いに平行に、および／または互いに角度をなすよう配置したフィルタ層１１５２の複数列を有するものとすることができる。
【００２９】
音減衰層１１５４は、互いに平行に配置する。随意に、音減衰層１１５４は、互いに角度をなすよう配置する。音減衰層１１５４は、フィルタ層１１５２に対してほぼ直交する方向に延在する。随意に、音減衰層１１５４は、フィルタ層１１５２に対して角度をなすよう延在させる。各音減衰層１１５４は、フィルタ層の端部１１６２の接合部１１６６に当接させて、気密界面を形成する。随意に、音減衰層１１５４は、フィルタ層１１５２の平面状の表面１１６４に当接する。音減衰層１１５４は、さらに、接合部１１６６、および／または結合装置を利用して平面状の表面１１６４に結合することができる。
【００３０】
各音減衰層１１５４は、１対の端部１１７０および端部間に延在する中間部分１１７２を有する。例示的な実施形態において、中間部分１１７２は、端部１１７０の幅１１８３よりも大きい幅１１８１を有する。端部１１７０は、丸みを付けた形状、平坦形状、尖端付き形状、凹面形状、凸面形状、および／または不均一な曲面形状を有するものとすることができる。空気流はフィルタ層１１５２を経て、音減衰層１１５４の周りに導かれる。随意に、音減衰層１１５４は半透過性で空気を透過させる内壁となり得る。
【００３１】
図１０は、フィルタ／音減衰バンク１２５０の頂面図を示す。フィルタ層１２５２は同一平面上に配置する。随意に、フィルタ層１２５２は互いに角度をなすよう配置する。さらに、フィルタ層１２５２は凹面形状、凸面形状、および／または湾曲した形状となる形態に配列することができる。フィルタ層１２５２は、端部１２６２が接合部１２６６隣接して、および／または当接するよう配置する。フィルタ／音減衰バンク１２５０は、互いに平行に、および／または互いに角度をなすよう配置した、少なくとも１列に配列したフィルタ層１２５２を有する。
【００３２】
音減衰層１２５４は、フィルタ層１２５２に対して角度をなすよう延在させる。各音減衰層１２５４は、第１減衰部材１２７４、および第２減衰部材１２７６を有する。第１減衰部材１２７４は、フィルタ層の端部１２６２および／またはフィルタ層１２５２の平面状の表面１２６４との接合部１２６６に当接する。減衰部材１２７４，１２７６は角度を付け、隣接する減衰部材の層間に見通し線を排除する。減衰部材１２７４，１２７６間の角度は、各音減衰層１２５４に対して等しくすることができる。随意に、各音減衰層１２５４の角度を変化させることができる。随意に、フィルタ／音減衰バンク１２５０は、少なくとも、フィルタ層１２５２に対してほぼ直交する方向に延在する少なくとも一つの音減衰層１２５４を有する。音減衰層１２５４は、均一な幅、および／または中間部分１２７２の長さに沿って変化する幅を有するものとすることができる。端部１２７０は、丸みを付けた形状、平坦形状、尖端付き形状、凹面形状、および／または不均一な曲面形状とすることができる。空気流は、フィルタ層１２５２をへて、音減衰層１２５４の周りに流れるよう導かれる。随意に、音減衰層１２５４は半透過性で空気を透過させる内壁となり得る。
【００３３】
図１１は、フィルタ／音減衰バンク１３５０の頂面図を示す。減衰部材１３５４は、第２減衰部材１３７６に対して角度をなして延在する第３減衰部材を有する。減衰部材１３７４，１３７６および１３７８は、音減衰層１３５４間で、見通し線をなくすために角度を付ける。空気流１３５７は、フィルタ層１３５２を経て、音減衰層１３５４を周りに流れるよう導かれる。随意に、音減衰層１３５４は半透過性で空気を透過させる内壁となり得る。
【００３４】
図１２は、フィルタ／音減衰バンク１４５０の頂面図を示す。音減衰層１４５４は、減衰部材１４７４，１４７６および１４７８を有する。減衰部材１４７４，１４７６および１４７８は、音減衰層間の見通し線を排除するために角度を付ける。減衰部材１４５４は、丸みを付けた形状、平坦形状、尖端付き形状、凸面形状、凹面形状、および／または不均一な曲面形状の端部１４７０を有するものとすることができる。フィルタ層１４５２は隣接する音減衰層１４５４間に角度をなして延在する。随意に、フィルタ層１４５２は、対応する音減衰層１４５４に対して直交するよう延在させる。音減衰層１４５４およびフィルタ層１４５２は互いに結合して、気密界面を形成する。図１２は、隣接する音減衰層１４５４間に延在する単独のフィルタ層１４５２を示す。随意に、複数のフィルタ層１４５２は音減衰層１４５４間に延在させる。空気流は、フィルタ層１４５２を経て、音減衰層１３５４の周りを流れるよう導かれる。随意に、音減衰層１４５４は半透過性で空気を透過させる内壁となり得る。
【００３５】
その他の実施形態において、フィルタバンクは、図８〜１２に示すフィルタ層および音減衰層のいかなる組み合わせを持つものとすることができる。
【００３６】
図１３は、外壁４０３並びに平面状の前面４１０および後面４１２を有するフィルタ／音減衰バンクのハウジング４０１の斜視図である。前面４１０および後面４１２は、空気が矢印４１４の方向に通過する孔を設ける。フィルタ／音減衰バンクのハウジング４０１は、フィルタ／音減衰バンク４００を有する。空気は、フィルタ／音減衰バンク４００を経て、方向４１４に流れる。結合フレーム４０５を外壁４０３に沿って延在させる。フィルタ／音減衰バンク４００は、ハウジング４０１に結合する。随意に、フィルタ／音減衰バンク４００は、結合フレーム４０５に結合する。フィルタ／音減衰バンク４００は、複数のフィルタ層４０２および複数の音減衰層３０４を有する。フィルタ層４０２および音減衰層４０４は、結合フレーム４０５および／またはハウジング４０１に結合することができる。
【００３７】
音減衰層４０４は、複数の前方減衰層４０７および複数の後方減衰層４０９を有する。各音減衰層４０４は、前端部４１５、後端部４１４、および端部４１５，４１４間に延在する中間部４１６を有する。複数前方減衰層４０７は、前面４１０に沿って延在する。複数の前方減衰層４０７は、互いにほぼ平行に延在する。随意に、複数の前方減衰層４０７は、互いに角度をなすよう配置する。複数の前方減衰層４０７は、前面４１０からフィルタバンクのハウジング４０１のほぼ中央４１１に延在する。随意に、複数の前方減衰層４０７は、中央部４１１の手前までまたは中心部を越えて延在する。複数の後方減衰層４０９は後面４１２に沿って延在する。複数の後方減衰層４０９は互いにほぼ平行に配置する。随意に、複数の後方減衰層４０９は互いに角度をなすよう配置する。複数の後方減衰層４０９は、後面４１２からフィルタバンクのハウジング４０１のほぼ中央部４１１に延在する。随意に、複数の後方減衰層４０９は、中央部４１１の手前までまたは中心部を越えて延在する。
【００３８】
フィルタ層４０２は、複数の前方減衰層４０７と複数の後方減衰層４０９との間に延在する。各フィルタ層４０２は、後方減衰層４０９の前端部４１５と前方減衰層４０７の後端部４１４との間に延在する。フィルタ／音減衰バンク４００は頂端部４０６および底端部４０８を有する。その他の実施形態において、頂端部４０６および底端部４０８は、音減衰層４０４とハウジング４０１との間に延在するフィルタ層４０２を有する。随意に、音減衰層４０４はハウジング４０１に直接、結合することができる。フィルタ／音減衰バンク４００は、ハウジング４０１および／または結合フレーム４０５に結合して、気密界面を形成する。フィルタ層４０２および音減衰層４０４は気密界面を形成するよう結合する。空気流は、フィルタ／音減衰バンク４００のフィルタ層４０２を通過するよう導かれる。随意に、音減衰層４０４は半透過性で空気を透過する内壁となり得る。
【００３９】
図１４は、フィルタ／音減衰バンク４００の一実施形態を示す側面図である。音減衰層４０４は、外壁３０３間に延在する。音減衰層３０４は前面４１０および後面４１２の一方から延在するよう方向付けする。複数の前方減衰層４０７は、前面４１０から後面４１２まで少なくとも部分的に延在する。複数の後方減衰層４０９は、後面４１２から前面４１０まで少なくとも部分的に延在する。フィルタ層４０２および音減衰層４０４は空気流４１７の方向に対して、交差する方向に交互に積み重ねる。音減衰層４０４は互いに平行に、かつ空気流４１７の方向に対してほぼ平行に配置することができる。随意に、減衰層４０４は互いに、また空気流４１７に対して、共通の一定角度または異なる鋭角の角度度をなすよう配置することができる。
【００４０】
音減衰層の端部４１５，４１４は、丸みを付けた形状、平坦形状、尖端付き形状、凸面形状、凹面形状、および／または不均一な曲面形状とすることができる。空気チャネル４２２は前面４１０および後面４１２に向かう隣接する音減衰層により形成される。フィルタ層４０２は、フィルタ／音減衰バンク４００を経る空気流に対して交差する方法に指向する。空気チャネル４２２は、さらに音減衰層４０４とハウジング４０１の外壁４０３との間に配置する。音減衰層４０４は、半透過性で、内側の空気チャネル４２４および外側の空気チャネル４２２を形成する内壁をなすよう構成する。空気は、空気チャネル４２２，４２４を４１７の方向に通過する。空気チャネル４２２，４２４は、互いに等しい、または互いに異なる幅４２６，４２８および４３０を有する。空気チャネル４２２，４２４は、互いに平行な平面状の前面４１０および後面４１２間で共通長さ４３２を有する。随意に、前面４１０および後面４１２は非平面状にし、長さ４３２が個別チャネル内で、または異なるチャネル４２２，４２４間で異なるようにすることができる。
【００４１】
フィルタ層４０２は、複数の前方減衰層４０７と複数の後方減衰層４０９との間に延在する。各フィルタ層４０２は、後方減衰層４０９の前端部４１５と前方減衰層４０７の後端部４１４との間に延在する。随意に、フィルタ層４０２の端部４３４は、音減衰層４０４の中間部分４２０に向かって、または減衰層４０４の中間部分４２０から延在する。端部４３４は、音減衰層４０４の端部４１５，４１４および隣接する音減衰層４０４の中間部分４２０に係合し、また隣接する。フィルタ層４０２の端部４３４は、音減衰層４０４の端部４１６または中間部分４２０に当接して、気密界面を形成する。
【００４２】
図１５はフィルタ／音減衰バンク１４００の側面図である。複数の前方減衰層１４０７は、前面１４１０から後面１４１２まで少なくとも部分的に延在する。複数の後方減衰層１４０９は、後面１４１２から前面１４１０まで少なくとも部分的に延在する。フィルタ層１４０２および音減衰層１４０４は、空気流１４１７の方向に対して交差する方向に交互に積み重ねる。他の複数の減衰層１４０５は、近傍の前方減衰層１４０７間、および近傍の後方減衰層１４０９間に配置する。音減衰層１４０４，１４０５は、互いに平行に、かつ空気流１４１７の方向に対してほぼ平行に配置することができる。随意に、減衰層１４０４，１４０５は、空気流４１７に対して、互いに共通の角度または異なる鋭角の角度で配置することができる。空気チャネル１４２２は隣接する減衰層によって形成される。減衰層１４０４，１４０５は、半透過性で空気を透過させる内壁となり、内側の空気チャネル１４２４および外側の空気チャネル１４２２を形成する。空気は、空気チャネル１４２２，１４２４を経て、１４１７の方向に流れる。フィルタ層１４０２は、複数の前方減衰層１４０７と複数の後方減衰層１４０９との間に延在する。
【００４３】
図１６は、フィルタ／音減衰バンク４５０を有する、フィルタ／音減衰バンクのハウジング４５１を示す。ハウジング４５１は外壁４５３、頂面４５５、底面４５７、前面４５９、および後面４６１を有する。前面４５９および後面４６１の少なくとも一部分は、矢印４５６の方向に空気が通過して流れるように、孔を設ける。随意に、結合フレーム４０５は外壁４５３および頂面４５５に沿って延在する。フィルタ／音減衰バンク４５０は、音減衰層４５４およびフィルタ層４５２を有する。音減衰層４５４およびフィルタ層４５２は、ハウジング４５１および／または結合フレーム４０５に結合し、気密界面を形成する。
【００４４】
音減衰層４５４は前面４５９と後面４６１との間に延在する。音減衰層４５４は前面４５９および後面４６１に対してそれぞれ直交する方向に配置する。随意に、音減衰層４５４は、前面４５９および後面４６１に互いに鋭角度の角度をなすよう延在させる。音減衰層４５４は平行に配置する。随意に、音減衰層４５４は互いに鋭角の角度をなすよう配置することができる。空気流は、音減衰層４５４の周りで、フィルタ／音減衰バンク４５０のフィルタ層４５２を通過するように導かれる。随意に、音減衰層４５４は半透過性で空気を透過する内壁となる。
【００４５】
フィルタ層４５２は、後面４６１から少なくとも部分的に延在する。フィルタ層４５２は、前面４５９および後面４６１に対してほぼ直交する方向に延在する。随意に、フィルタ層４５２は、前面４５９および後面４６１に対して鋭角の角度をなすよう延在させる。フィルタ層４５２は互いに平行に配置する。随意に、フィルタ層４５２は互いに角度をなすよう配置することができる。１対のフィルタ層４５２は、隣接する１対の音減衰層４５４間に配置する。随意に、数個のフィルタ層４５２を、隣接する音減衰層４５４間に配置することができる。フィルタ層４５２は後面４６１の有孔部分４６４を経る、内側チャネルを４６２形成する。
【００４６】
図１７はフィルタ／音減衰バンク４５０の頂面図を示す。隣接の音減衰層４５４は、外側チャネル４６６を形成する。外側チャネル４６６は、幅４６８を有する。例示する実施形態において、音減衰層４５４は、同一の幅４６８を有する複数の外側チャネル４６６を形成する。随意に、チャネル４６６の幅４６８は変化するものとすることができる。外側チャネル４６６は均一の幅４６８をもつ。随意に、外側チャネル４６６の幅４６８は変化してもよい。音減衰層４５４は、前面４５９および後面４６１に対して直交する方向に配置する。随意に、音減衰層４５４は前面４５９および後面４６１に互いに鋭角の角度をなすよう延在させる。音減衰層４５４は互いに平行に配置する。随意に、音減衰層４５４は互いに鋭角の角度をなすよう延在させる。
【００４７】
１対のフィルタ層４５２を後面４６１から延在させる。フィルタ層４５２は前面４５９および後面４６１にほぼ直交する方向に延在させる。随意に、フィルタ層４５２は前面４５９および後面４６１に対して鋭角の角度をなすよう延在させることができる。フィルタ層４５２は互いに任意の角度をなして配置することができる。フィルタ層４５２は１対の隣接する音減衰層４５４間に延在させる。フィルタ層４５２は、後面４６１の有孔部材４６４に至る内側チャネル４６２を形成する。音減衰キャップ４７０を隣接するフィルタ層４５２の端部４７２間に延在させる。音減衰キャップ４７０は内壁または内側チャネルに空気を通す半透過性の薄膜を有するものとすることができる。音減衰キャップは丸みを付けた形状、平坦形状、尖端付き形状、凹面形状、凸面形状、および／または不均一の曲面形状を有するものとすることができる。
【００４８】
図１８はフィルタ／音減衰バンク５００を有する、フィルタ／音減衰バンクのハウジング５０１を示す。ハウジング５０１は、外壁５０３、頂面５０５、底面５０７、前面５０９、後面５１１を有する。前面５０９、および後面５１１の少なくとも一部には孔を設け、矢印５０４の方向に空気が通過できるようにする。随意に、結合フレーム５１３を外壁５０３および頂面５０５に沿って延在させる。フィルタ／音減衰バンク５００は音減衰層５０４およびフィルタ層５０２を有する。音減衰層５０４およびフィルタ層５０２は、ハウジング５０１および／または結合フレーム５１３に結合し、気密界面を形成する。
【００４９】
音減衰層５０４は、前面５０９と後面５１１との間に少なくとも部分的に延在させる。他の実施形態において、音減衰層５０４は後面５１１から延在させる。随意に、音減衰層５０４は前面５０９から延在させる。音減衰層５０４は、前面５０９および後面５１１に対して直交する方向に配置する。随意に、音減衰層５０４は、前面５０９および後面５１１に対して鋭角の角度をなすよう配置する。音減衰層５０４は互いに平行に配置する。随意に、音減衰層５０４は、互いに鋭角の角度をなすよう配置することができる。空気流は、フィルタ層５０２を経て、また音減衰層５０４を通って延びるチャネル５０６を通過するように導かれる。随意に、音減衰層５０４は半透過性で空気が通過する内壁とすることができる。随意に、空気流はチャネル５０６を経てフィルタ層５０２に向かうように導くこともできる。
【００５０】
フィルタ層５０２は、前面５０９から少なくとも部分的に延在させる。随意に、フィルタ層は後面５１１から少なくとも部分的に延在させることができる。フィルタ層５０２は前面５０９および後面５１１に対して、ほぼ直交する方向に延在させる。随意に、フィルタ層５０２は前面５０９および後面、５１１に対して、鋭角の角度をなすよう延在させる。フィルタ層５０２は互いに平行に配置する。随意に、フィルタ層５０２は互いに角度をなすよう配置する。各フィルター層５０２は減衰層５０４に当接して、気密界面を形成する。フィルタ層５０２は、空気流をチャネル５０６に導く。
【００５１】
図１９は、フィルタ／音減衰バンク５００の頂面図を示す。フィルタ層５０２は音減衰層５０４に当接して、チャネル５０６を形成する。音減衰層５０４およびフィルタ層５０２は、前面５０９および後面５１１に対して直交させて配置する。随意に、音減衰層５０４およびフィルタ層５０２は前面５０９および後面５１１に対して鋭角の角度をなすよう延在させることができる。音減衰層５０４およびフィルタ層５０２は互いに平行に配置する。随意に、音減衰層５０４およびフィルタ層５０２は互いに鋭角の角度をなすよう配置することができる。
【００５２】
他の実施形態において、音減衰層５０４は、前端５１０および後端５１２を有する。前端５１０は、後端５１２の幅５１６よりも大きい幅５１４を有する。チャネル５０６は前面５０９から後面５１１に向かって拡大する。随意に、音減衰層５０４は均一な幅を有するものとすることができる。随意に、音減衰層は丸みを付けた形状、平坦形状、尖端付き形状、凹面形状、凸面形状、および／または不均一な曲面形状にすることができる。音減衰層５０４およびフィルタ層５０２はチャネルを形成する。チャネル５０６は、後面５１１の有孔部材５１７に空気流を導く。
【００５３】
図２０は、フィルタ／音減衰バンク５５０を有するフィルタ／音減衰バンクのハウジング５５１を示す。ハウジング５５１は、外壁５５３、頂面５５５、底面５５７、前面５５９、後面５６１を備える。前面５５９および後面５６１の少なくとも一部は、矢印５５８の方向に空気を通すための孔を設ける。随意に、結合フレーム５６３を外壁５５３および上面５５５に沿って延在させる。フィルタ／音減衰バンク５５０は音減衰層５５４およびフィルタ層５５２を有する。音減衰層５５４およびフィルタ層５５２はハウジング５５１に結合する。随意に、音減衰層５５４およびフィルター層５５２は、結合フレーム５６３に結合し、気密界面を形成する。
【００５４】
フィルタ層５５２は前面５５９と後面５６１との間に少なくとも部分的に延在させる。フィルタ層５５２は前面５５９および後面５６１に対して直交させて配置する。随意に、フィルタ層５５２は、前面５５９および後面５６１に対して互いに鋭角の角度をなすよう延在させることができる。フィルタ層５５２は、互いに平行に配置する。随意に、フィルタ層５５２は互いに鋭角の角度をなすよう配置することができる。空気流は、フィルタ層５５２間に形成されるチャネル５５６を経て、また各フィルタ層を経るように導かれる。
【００５５】
音減衰層５５４は、後面５６１から少なくとも部分的に延在させる。随意に、音減衰層５５４は前面５５９から少なくとも部分的に延在させることができる。音減衰層５５４は、前面５５９および後面５６１に対してほぼ直交する方向に延在させる。随意に、音減衰層５５４は、前面５５９および後面５６１に対して鋭角の角度をなすよう延在させる。音減衰層５５４はフィルタ層５５２に対して平行に配置する。随意に、音減衰層５５４はフィルタ層５５２に対して互いに角度をなすよう配置する。音減衰層５５４は空気流が各フィルター層を通過するように導く。随意に、音減衰層５５４は空気を通す半透過性の内壁とすることができる。
【００５６】
図２１はフィルタ／音減衰バンク５５０の頂面図を示す。フィルタ層５５２はチャネルを形成する。音減衰層５５４およびフィルタ層５５２は、前面５５９および後面５６１に対して直交するよう配置する。随意に、音減衰層５５４およびフィルタ層５５２は、前面５５９および後面５６１に対して互いに鋭角の角度をなすよう延在させる。音減衰層５５４およびフィルタ層５５２は平行に配置する。随意に、音減衰層５５４およびフィルタ層５５２は互いに鋭角の角度をなすよう配置する。
【００５７】
他の実施形態において、音減衰層５５４は前端５６０および後端５６２を有する。後端５６２を後面５６１に結合し、気密界面を形成する。前端５６０には丸みを付ける。随意に、前端５６０は、平坦形状、尖端付き形状、凹面形状、凸面形状、および／または不均一な曲面形状とすることができる。フィルタ層５５２はチャネル５５６を形成する。チャネル５５６は後面５６１の開口５６４に空気流を導く。随意に、開口５６４は、後面５６１の有孔部分とすることができる。
【００５８】
図２２は、フィルタ／音減衰バンク６００を有するフィルタ／音減衰バンクのハウジング６０１を示す。ハウジング６０１は、外壁６０３、頂面６０５、底面６０７、前面６０９、後面６０１を有する。前面６０９および後面６１１の少なくとも一部には、矢印６０６の方向に空気を通すための孔を設ける。随意に、結合フレーム６１３を外壁６０３および上面６０５に沿って延在させる。フィルタ／音減衰バンク６００は、音減衰層６０４およびフィルタ層６０２を有する。音減衰層６０４およびフィルタ層６０２はハウジング６０１に連結する。随意に、音減衰層６０４およびフィルタ層６０２は、結合フレーム６１３に結合して、気密界面を形成する。
【００５９】
図２３は、フィルタ／音減衰バンク６００の斜視図を示す。フィルタ／音減衰バンク６００は、複数のフィルタ層６０２および、複数の音減衰層６０４を有する。複数のフィルタ層６０２は、複数の上流側フィルタ層６０８、複数の第１下流側フィルタ層６１０、複数の第２下流側フィルタ層６１２を有する。各フィルタ層６０２は、上流側の端部６１４および下流側の端部６１６を有する。例示の実施形態において、端部６１４，６１６は平坦にする。随意に、端部６１４，６１６は、丸みを付けた形状、凹面形状、凸面形状、尖端付き形状、および／または不均一な曲面形状とすることができる。
【００６０】
上流側フィルタ層６０８の下流側の端部６１６は、各第１および第２の下流側フィルタ層６１０，６１２の上流側の端６１４部に隣接して配置する。随意に、これら端部は結合および／または一体に形成して、気密界面を形成する。第１下流側フィルタ層６１０は、上流側フィルタ層６０８から、鋭角の角度をなすようＲ延在させる。第２下流側フィルタ層６１２は上流側フィルタ層６０８から鋭角の角度をなすように延在させ、その角度は第１下流側フィルタ層６１０と上流側フィルタ層６０８との間における角度と等しく逆向きとする。随意に、これら２つの角度は等しくないものとする。
【００６１】
音減衰層６０４は、上流側フィルタ層６０８と、第１下流側フィルタ層６１０および第２下流側フィルタ層６１２のどちらか一方との間に延在させる。音減衰層６０４は、フィルタ層６０２に対してほぼ直交するよう延在させる。随意に、音減衰層６０４はフィルタ層６０２に対して角度をなすよう延在させることができる。隣接する音減衰層６０４は空気チャネル６１８を形成する。随意に、音減衰層５５４は半透過性で空気を通す内壁とすることができる。
【００６２】
図２４はフィルタ／音減衰バンク６００の頂面図である。音減衰層６０４は、チャネル６１８を形成する。音減衰層６０４は、前面６０９および後面６１１に対して平行に配置する。随意に、音減衰層６０４は、前面６０９および後面６１１に対して互いに鋭角の角度をなすよう延在させる。上流側フィルタ層６０８は前面６０９および後面６１１に対して直交させて配置する。第１下流側フィルタ層６１０および第２下流側フィルター層６１２は前面６０９および後面６１１に対して互いに角度をなすよう配置する。随意に、第１および第２の下流側フィルター層６１０，６１２は前面６０９および後面６１１に対して平行に延在させる。
【００６３】
例として示す実施形態において、音減衰層６０４は前端６２０および後端６２２を有する。後端６２２はフィルタ層６０２の１つに結合して、気密界面を形成する。前端６２０は丸みを付ける。随意に、前端６２０は、丸みを付けた形状、平坦形状、凹面形状、凸面形状、および／または不均一な曲面形状とすることができる。音減衰層６０４は、チャネル６１８を形成する。チャネル６１８は、後面６１１における開口および／または有孔部分に空気流を導く。
【００６４】
図２５は、本発明の一実施形態により形成したダンパ（音減衰器）の斜視図である。逆気流ダンパ７００は、入口７０１および出口７０３を有する中央開口７０２を画定するシェル（外殻構造）７０５を備え、このシェルを空気が通過する。シェル７０５は、空気が流れるダクトもしくは通路に適合するよう構成する、またはファンユニットのすぐ上流側もしくは下流側に配置するよう構成する。シェル７０５のサイズは、ダクトもしくは通路のサイズ、またはファンユニットのサイズによって決まる。シェル７０５は、１６ゲージのシートメタル（板金）で構成し、出口７０３に設けたリップ部を有し、このリップ部は随意的に卵梱包箱のようなフローストレーナ７０６に係合する。シェル７０５は、頂面７０８、底面７０９、側面７１０を有する。シェル７０５は、矩形、楕円形、または円形の形状とすることができる。シェル７０５は、多くのタイプの材料から形成し、また特定用途に基づいて、異なる寸法を有する。
【００６５】
複数のベーン７１２を、シェル７０５の頂面７０８と底面７１０との間に延在させる。ベーン７１２は、空気が中央開口７０２を経てほぼスムーズに流れる開位置と、空気が中央開口を通り抜けるのを阻止する、閉位置（破線で示す）との間で移動する。ベーン７１２は頂端部７１３および底端部７１５、丸みを付けた先導端縁７１４およびより薄い端縁７１８に収斂する側面７１６を有し、ベーン上を流れる空気に基因する抵抗がほとんどない、中立的な空力学的形状となるようにする。ベーン７１２は、シェル７０５の深さよりも小さいまたは等しい幅と、シェル７０５の高さよりもわずかに小さい長さを有する。随意に、ベーン７１２は、シェル７０５での使用に適した任意のサイズとすることができる。例示の実施形態において、ベーン７１２は、中実の減衰層として構成する。随意に、ベーン７１２は半透過性で空気が透過できるようにする。随意に、ベーン７１２にはフィルタ層を設けることができる。あるいは、ベーン７１２は音減衰層およびフィルタ層の組み合わせとすることができる。フィルタバンク７２０を出口７０３に配置する。随意に、フィルタバンク７２０は入口７０１に配置することができる。フィルタバンク７２０は、シェル７０５に結合して、気密界面を形成する。
【００６６】
ベーン７１２は、シェル７０５に対して回転可能に取り付け、この取り付けは、回転軸線７２６を垂直状態からある角度だけ、前後にわずかにオフセットし、ベーン７１２の頂部が、ベーン７１２の底部よりも入口７０１により近くなるように行う。オフセット量は、ベーンのサイズおよび重量、並びにダンパを通過する空気流量に依存する。オフセットの目的は、ダンパに順方向の空気流がないとき、重力がベーンを完全に閉じた状態にするためであり、冷蔵庫のドアが閉まるのと同様である。しかしながら、この結果を得るためのオフセットはできる限り小さいほうがよく、シェルに何らかの順方向の空気流があるとき、ベーンが開いた位置にすばやく回転することができるようにするためである。さらに、ベーンはできるだけ少ない空気流で完全に開いた状態になるようにすることが望ましい。
【００６７】
図２６は、上記の例示した実施形態に使用する音減衰フィルタ８００を示す。音減衰フィルタは、音減衰層８０４およびフィルタ層８０２を有する。音減衰層８０４は前面８０６および後面８０８を有する。音減衰層８０４は半透過性とし、空気流が透過できるようにする。例示的な実施形態において、フィルタ層８０２は音減衰層８０４の各側面に沿って延在させ、音減衰層８０４を包囲する。随意に、フィルタ層８０２は音減衰層８０４の前面８０６および／または後面８０８のどちらか一方のみに沿って延在させる。
【００６８】
図２７は、上記で例示した実施形態に使用する減衰フィルタ８５０を示す。減衰フィルタは音減衰層８５４およびフィルタ層８５２を有する。音減衰層８５４は半透過性とし、空気が通過できるようにする。フィルタ層８５２は前面８５６および後面８５８を有する。例示的な実施形態において、音減衰層８５４をフィルタ層８５２の各側面に沿って延在させ、フィルタ層８５２を包囲する。随意に、音減衰層８５４は前面８５６および／またはフィルタ層８５２の後面８５８の一方のみに沿って延在させる。
【００６９】
図２８は、２個のパネル２０間の空気流を示し、これらパネルは音を遮断する表面および音減衰層を有するものする。図２８〜３０は、ガラス繊維によるコア２２が少なくとも一方の側面に積層させたオープンセル発泡体２４を有する第１実施形態を示す。図２８および図３０〜３３は、オープンセル発泡体２４の使用と有孔剛固仕上げ面２６の使用を組み合わせた第２の実施形態も示す。図３３および図３４は、遮断ボード全体を被覆していないオープンセル発泡体パッド２４に置き換えた、第３の実施形態を示す。
【００７０】
先ず、図２８〜３０に示す第１の実施形態に戻って説明すると、この積層構造の実施形態はガラス繊維によるコア２２（もしくは他のタイプの遮断体）を有し、ガラス繊維によるコア２２の少なくとも一方の側面に積層したオープンセル発泡体２４を有する。ガラス繊維材料およびオープンセル発泡体の両方を使う１つの利点は、オープンセル発泡体のみを使用した場合よりも費用が安価になることであり、なぜなら、オープンセル発泡体はガラス繊維よりも費用が高価であるからである。ガラス繊維材料およびオープンセル発泡体の両方を使う他の利点は、ガラス繊維のみを使用する場合よりも重量が軽いことであり、ガラス繊維はオープンセル発泡体よりも重いからである。ガラス繊維材料およびオープンセル発泡体の両方を使うさらに他の利点は、２つの材料が、周波数の異なる範囲にわたって、異なるタイプの遮音特性を生ずる点である。同時に、２つの材料は周波数の広い範囲にわたって、吸音特性を生ずる。以下に示すグラフは（縦軸は吸収率を０から１までの値で示し、横軸は周波数を０〜１００００Ｈｚまでのおおよその最大値を示す）は、一例となるが、必ずしも正確な測定値とは限らない。
【００７１】
第１の積層構造の実施形態に対する代替的な実施形態においては、一方の側面をオープンセル発泡体２４で被覆したガラス繊維のコア２２（図２８参照）、両方の側面をオープンセル発泡体２４で被覆したガラス繊維のコア２２（図２９参照）、有孔剛固仕上げ面２６で被覆した発泡体２４（図３０参照）を有する。図３３の底部には、実施形態の一例として図３０に示したエアハンドラーを使用する。それはまた、別の実施形態で、２つ以上の異なるタイプの遮断体の層を有するものとすることができる。例えば、４層の実施形態の場合、オープンセル発泡体、ガラス繊維、ロックウール、およびオープンセル発泡体を使用する。層構造の実施形態は、実際は異なるタイプの遮断体、異なる量の遮断体、異なる厚さの遮断体を使って「調整」し、意図された用途で所望の音響特性にする。
【００７２】
本明細書に説明する実施形態は、パネルおよび層を使用して、エアハンドラーを形成する方法を備える。この方法は、少なくとも１つのエアハンドラー表面を有するエアハンドラーシステムを設けるステップと、少なくとも１つの層状化する表面を有する第１遮断材料のコアを設けるステップと、第２の遮断材料のオープンセル発泡体の仕上げ面を設けるステップと、を有する。このとき、仕上げ面は、少なくとも１つの積層表面に少なくとも部分的に積層して、積層遮断ボードを形成する。最終的に、少なくとも１つのエアハンドラー表面を少なくとも部分的に積層遮断ボードで被覆し、仕上げ面に、エアハンドラーを通過する空気流が当たるようにする。
【００７３】
次に第２実施形態は図２８および３０〜３３に示され、有孔部材を取り付けた実施形態は、オープンセル発泡体２４の使用と有孔剛固仕上げ面２６の使用を組み合わせる。オープンセル発泡体と有孔剛固仕上げ面の組み合わせは、エアハンドラーの使用に大きな利点となる。例えば、有孔剛固仕上げ面２６を使用して、オープンセル発泡体２４に固定することは、オープンセル発泡体２４における吸音特性を大きく低下させないようにする。図３１に示すように、オープンセル発泡体２４のオープンセル構造は、オープンセル発泡体２４の一部が、有孔剛固仕上げ面２６（図３２の正面図に示す）に画定される開口から突出する。露出したオープンセル発泡体２４は、音波を吸収することができる。１つの実施形態において、有孔剛固仕上げ面２６における開口間で突出するオープンセル発泡体２４は、音波を吸収する。これは、音波が、有孔剛固仕上げ面によって分割される滑らかな仕上げ面で形成されるほぼ剛固な隔壁で反射し、従来技術の実施形態と対比できる。
【００７４】
第２有孔部材を固定する実施形態の代替的な実施形態においては、ガラス繊維のコア２２および、有孔剛固仕上げ面２６によって固定されたオープンセル発泡体２４で積層し（図３０参照）、および有孔剛固仕上げ面２６によって固定される非積層構造のオープンセル発泡体２４（図３３の底部参照。）を有する。別の実施形態では、図３２に示した有孔剛固仕上げ面２６を、他の固定構体によって代替し、例えば、他の形状、開口、ストラップ、網状構造、ワイヤグリッド、またはオープンセル発泡体２４が内方に引き込まれるのを阻止するのに適した他の固定構体を有する、有孔剛固仕上げ面２６に代替できる。
【００７５】
本明細書で説明する実施形態は、有孔部材によって固定する実施形態を使用して、エアハンドラーを形成する方法を示す。この方法は、少なくとも１つのエアハンドラー表面を有するエアハンドラーシステムを設けるステップと、オープンセル発泡体遮断材料を設けるステップと、および仕上げ面が露出する固定構体を設けるステップとを有する。つぎに、この少なくとも１つのエアハンドラー表面を、少なくとも部分的に、オープンセル発泡体遮断材料で被覆する。最後に、オープンセル発泡体遮断材料は、少なくとも１つのエアハンドラー表面に固定し、これにより突出したオープンセル発泡体遮断材料が露出して音波および／またはエアハンドラーを通る空気流に当たる。
【００７６】
つぎに、図３３および図３４に示す第３の好適な実施形態について説明すると、この被覆していない実施形態において、遮断ボード全体は、表面を被覆していないオープンセル発泡体２４に置き換える。これはガラス繊維の存在が、意図した用途では満足できず、意図した依頼人にたいしては容認されない用途に特に適している。例えば、摂取可能または注入可能な薬に関連する製薬会社は、エアハンドラー内にいかなるガラス繊維があることも容認できない。第２の非被覆構造の実施形態の別の実施形態では、有孔剛固仕上げ面２６によって固定した非被覆オープンセル発泡体２４（図３３参照）、フレーム３０に固定した非被覆オープンセル発泡体２４（図３４参照）を備える。
【００７７】
図３５は、空気処理ユニット１００を形成するための方法９００のフローチャートである。ステップ９０２において、ファンアレイを空気処理ユニット内に配置する。ファンアレイは空気処理ユニットを通過する空気チャネルを構成する。ステップ９０４において、フィルタバンクを空気処理ユニット内に配置し、通過する空気流をろ過処理する。フィルタバンクはファンアレイの上流側および／または下流側に配置する。フィルタバンクの配置は少なくとも、ステップ９０６における１つのフィルタ層の配置を含む。ステップ９０８において、少なくとも１つの音減衰層をフィルタ層に隣接させて配置する。随意に、音減衰層をフィルタ層に当接する。さらに、音減衰層をフィルタ層に結合することができる。ステップ９１０において、フィルタ層および音減衰層を、図４〜２５に示す形態のうち少なくとも１つにより配置する。
【００７８】
本明細書に説明する実施形態は、空気処理ユニットに関する。例えば、上述の実施形態を空気処理ユニットに使用する、および／または空気処理システムの入口または放出プレナムを備える。さらに、多くの実施形態においては、ファンアレイは、上流側および／または下流側で空気処理ユニット内に配置する。随意に、上述した実施形態はクリーンルーム環境で使用することができる。他の実施形態においては、放出プレナム内および／またはクリーンルームの帰還導管に配置する。随意に、本発明の実施形態は、居住のＨＶＡＣシステムで使用することができる。本発明の実施形態は、ＨＶＡＣシステムのダクト内で使用することができる。随意に、本発明実施形態は、精密なエアコンシステムに使用されるＤＸおよび冷水エアハンドラー、データセンター冷却システム、プロセス冷却システム、加湿システム、および工場運転ユニット制御に使用することができる。随意に、本発明の実施形態は、商業用および／または住居に適した空調製品に使用できる。本発明の実施形態は、フード内および／または空調製品の入口に使用できる。随意に、本発明の実施形態は入口の下流側に配置するダクトおよび／または放出ベントに配置することができる。
【００７９】
上述の説明は、単に例示であり、本発明の範囲が限定するものではない。例えば、上述の実施形態（および／またはそれの態様）は互いに組み合わせることができる。さらに、特定の状況や材料に応じて多くの改良がなされ、それらの範囲から逸脱することなく発明の様々な実施形態が適用される。本明細書で説明される材料の寸法およびタイプは、本発明の様々な実施形態の構成要素を明確にするが、実施形態に決して制限されるものではなく、例としての実施形態である。多くの他の実施形態は、従来技術においてレビューする技術を明らかにする。本発明の様々な実施形態の範囲は、したがって、添付の特許請求の範囲の最大の範囲に相当するものとして決定されるべきである。添付の特許請求の範囲において、用語「有する（including）」および「において（in which）」は平易英語としての用語「備える（comprising）」および「において（wherein）」を表す。さらに、特許請求の範囲の請求項において、用語「第１」、「第２」、「第３」等は単に識別のために使用し、数的要件を課すことを意図するものではない。さらには、特許請求の範囲の請求項における限定は、機能を加えた手段のフォーマットで書かれたものではなく、３５Ｕ．Ｓ．Ｃ§１１２の第６章に基づいて解釈されることを意図したものではなく、そのような請求項の制限は明確に、用語「手段（means for）」を使用して、続く文章の機能を損なわないようにしている。
【００８０】
本明細書において使われるように、要素または段階が列挙され、後に続く不定冠詞「a」または「an」は、この種の除外が明確に述べられない限り、複数の上記要素や段階を除いて理解されるべきである。さらには、「１つの実施形態」とは、さらなる実施形態の存在を除外することを意図しておらず、詳述された特徴を組み込む。さらには、もし反対に明確に定まっていなければ、実施形態は要素または複数の特定の意味を持つ要素を「備える」または「持つ」その性質を有しないそのようなさらなる要素も含む。
【００８１】
本発明の様々な実施形態を開示するため、上記の文章では例を使用した。ベストモードを含み、当業者なら誰でもその発明の実施形態をデバイスまたはシステムを作成、または使用して、いかなる組み合わせた方法を使用して実現することができる。特許請求の範囲は請求項に規定され、本発明の様々な実施形態およびその他の従来例を含む。そのような他の例は、その例が請求項の文字通りの言葉から外れていない構造上の要素をもつ場合、またはその例が同等の構造上の要素を備え、請求項の文字通りの言葉から実態のない違いしかない場合には請求の範囲内にあるものとする。
【符号の説明】
【００８２】
１００  空気処理ユニット
１０２  入口
１０４  出口
１０６  部屋
１０８  入口プレナム
１１０  出口プレナム
１１２  ベント（通気孔）
１１４  帰還ベント
２００  段階的空気処理システム
２０２  入口
２０６  加熱区域
２０８  空気処理区域
２１０  加湿区域
２１２  冷却区域
２１４  冷却区域
２１６  フィルタ区域
２１８  入口プレナム
２２０  放出プレナム
２２２  ファン入口コーン
２２４  フレーム
２２５  隔壁
２２６  ファン
２２８  モータ
２３０  チャンバ
２３４  上流側の端部
２３６  下流側の端部
２３８  フィルタバンク
２４０  フィルタ
２４１  ハウジング
２４２  音減衰パネル
２４４  チャネル
【図１】
2011206760.tif 000003
【図２】
2011206760.tif 000004
【図３】
2011206760.tif 000005
【図４】
2011206760.tif 000006
【図５】
2011206760.tif 000007
【図６】
2011206760.tif 000008
【図７】
2011206760.tif 000009
【図８】
2011206760.tif 000010
【図９】
2011206760.tif 000011
【図１０】
2011206760.tif 000012
【図１１】
2011206760.tif 000013
【図１２】
2011206760.tif 000014
【図１３】
2011206760.tif 000015
【図１４】
2011206760.tif 000016
【図１５】
2011206760.tif 000017
【図１６】
2011206760.tif 000018
【図１７】
2011206760.tif 000019
【図１８】
2011206760.tif 000020
【図１９】
2011206760.tif 000021
【図２０】
2011206760.tif 000022
【図２１】
2011206760.tif 000023
【図２２】
2011206760.tif 000024
【図２３】
2011206760.tif 000025
【図２４】
2011206760.tif 000026
【図２５】
2011206760.tif 000027
【図２６】
2011206760.tif 000028
【図２７】
2011206760.tif 000029
【図２８】
2011206760.tif 000030
【図２９】
2011206760.tif 000031
【図３０】
2011206760.tif 000032
【図３１】
2011206760.tif 000033
【図３２】
2011206760.tif 000034
【図３３】
2011206760.tif 000035
【図３４】
2011206760.tif 000036
【図３５】
2011206760.tif 000037
【外国語明細書】
2011206760000001.pdf